(57)【要約】      （修正有）【課題】外出時に手軽にポケットまたはハンドバッグなどに入れて持ち運ぶことができ、いつでも何処でもアロマオイルの香料を楽しんだりリラックスのために嗅ぐことができるアロマストーン用ポケットを有する布製品を提供する。【解決手段】身の回り布製品であるハンカチ１の一部に、好みのアロマオイルを数滴滴下して染み込ませた円形のアロマストーン４を収納するためのアロマストーン用ポケット２を形成した構成としたので、外出時に洋服のポケット又はハンドバッグに入れて持ち運ぶことができ、いつでも何処でもアロマオイルの香料を楽しんだりリラックスのために嗅ぐことができる。【選択図】図２
0003182012.tif 000002
【実用新案登録請求の範囲】
【請求項１】
身の回り布製品であるハンカチの一部に、好みのアロマオイルを数滴滴下して染み込ませた円形のアロマストーンを収納するためのアロマストーン用ポケットを形成したこと
を特徴とするアロマストーン用ポケットを有する布製品。
【請求項２】
前記身の回り布製品が、ハンカチの他に、手袋、カイロカバー、ティシュペーパーケース、ブックカバー、手帳カバー、ぬいぐるみであること
を特徴とする請求項１に記載のアロマストーン用ポケットを有する布製品。
【請求項３】
前記アロマストーンの形状は、円形の他に、楕円形、矩形であること
を特徴とする請求項１乃至２に記載のアロマストーン用ポケットを有する布製品。
【考案の詳細な説明】
【技術分野】
【０００１】
本考案は、アロマオイルを滴下して染み込ませたアロマストーンを携帯できるように、身の回り布製品等に、アロマストーン用ポケットを有する布製品に関するものである。
【背景技術】
【０００２】
従来、アロマオイルを滴下して染み込ませたアロマストーン及びセラミック片は公知になっている。そして、アロマストーン及びセラミック片を利用してアロマオイルの香料を発散させる装置が公知になっている。第１の公知例として、プレス面に設けられたスチームを噴出するスチーム噴出口と、スチーム噴出口から噴出されるスチームにアロマの香りを含ませるためのアロマストーンがセットされるアロマストーン器具とを備えたスチームプレッサーであり、室内に置くことができ、いつでも手軽に持ち運んでハンカチのアイロンがけをすることができる、というものである（特許文献１）。
【０００３】
そして、上記のコンパクトなスチームプレッサーにより、使用者は、従来の収納の手間を省き、自由に持ち運び、より手軽にハンカチのアイロンがけすることができる。また、その香りから精神のリラックス効果・ストレス解消効果を得ることができる。ハンカチや小物に付けたほのかな香りは、使用者のみならず周りにいる人に対しても同様の効果を生むことができ、生活必需品であるハンカチ等にこういった心遣いをすることで、使用者は身だしなみ、ファッションセンスといった面で好印象を与えることができ、これらは良い身だしなみや細かな心遣いの大切さや社会に広めるきっかけと成りえる、というものである。
【０００４】
また、第２の公知例は、各種陶土の特製を利用して調合し、さらに温度を利用して制御することにより、陶土をガラス化させずに薄板状に形成して成るセラミック芳香片であって、その内部に多数の小通気孔を備え、該セラミック芳香片を貫通する複数個の通気孔を設け、アロマオイルを補充する構成とすることを特徴とする、セラミック芳香片である(特許文献２)。
【０００５】
そして、使用例として、セラミック芳香片を、例えば、扇風機の通風箇所に設置し、クリップまたはフック固定することにより、空気がセラミック芳香片を通過する時、アロマオイルの分子が空気中に拡散される、というものである。
【先行技術文献】
【特許文献】
【０００６】
【特許文献１】実用新案登録第３１３３９６３号公報
【特許文献２】実用新案登録第３１０７１７８号公報
【考案の概要】
【考案が解決しようとする課題】
【０００７】
しかし、前記第１の公知例に係るスチームプレッサーは、いつでも手軽に持ち運んでハンカチのアイロンがけをすることができるといっても、スチームプレッサーは外出時にポケットに入れて携帯できるような大きさではないので、実質的に手軽に持ち運べないし、スチーム用の水がなければ実質的に使用できないのであるから、いつでも何処でもアロマオイルの香料を嗅ぐことはできないという問題点を有している。
【０００８】
また、前記第２の公知例に係るセラミック芳香片については、その使用例で示したように、扇風機などの送風装置に取り付けて使用するものであり、やはり、外出時にポケットに入れて携帯することについては、言及していないのであり、いつでも何処でもアロマオイルの香料を楽しんだり発散させることができないという問題点を有している。
【０００９】
従って、いずれの従来例においても、外出時に手軽にポケットまたはハンドバッグなどに入れて持ち運び、いつでも何処でもアロマオイルの香料を楽しんだりリラックスのために嗅ぐことができるようにすることに解決課題を有している。
【課題を解決するための手段】
【００１０】
前記課題を解決する手段として、本考案は、身の回り布製品であるハンカチの一部に、好みのアロマオイルを数滴滴下して染み込ませた円形のアロマストーンを収納するためのアロマストーン用ポケットを形成したことを特徴とするアロマストーン用ポケットを有する布製品を提供するものである。
【００１１】
前記アロマストーン用ポケットを有する布製品において、前記身の回り布製品が、ハンカチの他に、手袋、カイロカバー、ティシュペーパーケース、ブックカバー、手帳カバー、ぬいぐるみであること；及び前記アロマストーンの形状は、円形の他に、楕円形、矩形であること、を付加的要件として含むものである。
【考案の効果】
【００１２】
本考案に係るアロマストーン用ポケットを有する布製品は、身の回り布製品であるハンカチの一部に、アロマストーン用ポケットを形成し、該ポケットに好みのアロマオイルを染み込ませたアロマストーンを入れ、ハンカチを折り畳んでアロマストーンを包み込み、外出時に洋服のポケット又はハンドバッグに入れて持ち運ぶことができるので、アロマストーンを直に持ち歩くよりは、安全性に優れると共に、香料の早期消失もある程度防いで長持ちし、いつでも何処でもアロマオイルの香料を楽しんだりリラックスのために嗅ぐことができるという優れた効果を奏する。
【図面の簡単な説明】
【００１３】
【図１】本考案に係る第１の実施の形態に係るアロマストーン用ポケットを有する布製品の平面図である。
【図２】同実施の形態に係る布製品のアロマストーン用ポケットにアロマストーンを入れる状況を示した平面図である。
【図３】第２の実施の形態に係るアロマストーン用ポケットを有する布製品の平面図である。
【図４】同実施の形態に係る布製品のアロマストーン用ポケットにアロマストーンを入れる状況を示した平面図である。
【図５】第３の実施の形態に係るアロマストーン用ポケットを有する布製品の平面図である。
【考案を実施するための形態】
【００１４】
本考案に係る第１の実施の形態に係るアロマストーン用ポケットを有する布製品として図１と図２に示した実施例について説明する。布製品としては、例えば、身の回りにある木綿生地のハンカチ１が採用できる。このハンカチ１としては、タオルハンカチ、ガーゼハンカチ、眼鏡ふきハンカチ等でも使用できる。そして、ハンカチ１の一部、例えば、一つの隅部寄りに同質同色材料で形成したアロマストーン用ポケット２を形成したものである。このアロマストーン用ポケット２については、収納されるアロマストーンの形状に対応して丸形状、矩形状等の適宜の形状大きさに形成され、該ポケット２の開口部３は、ポケット２の中間位置を横切るように形成され、該開口部３は、好ましくは、色の異なるバイヤス布で縁取りしてある。
【００１５】
このようにハンカチ１にアロマストーン用ポケット２を形成することにより、図２に示したように、例えば、丸形状のアロマストーン４に適宜のアロマオイル、例えば、ラベンダー、ユーカリ、オレンジスイートの一種又は２種以上を数滴滴下して染み込ませた後に、中間位置の開口部３からポケット２内に収納することにより、アロマストーン４はいずれの方向からも脱落することなく保持され、アロマストーン４を包み込むようにハンカチ１を複数回折り畳んで小さくし、外出時に、例えば、洋服のポケットやハンドバック等に入れて、アロマオイルを含むアロマストーン４を手軽に携帯することができるのである。
【００１６】
そして、外出先において、いつでも何処でもハンカチ１を取り出して、自然な状態で自らの鼻先にハンカチ１を近づけさえすればすれば、アロマストーン４に含ませたアロマオイルの香料を密かに嗅ぐことができるし、仮に、周囲に香料が飛散しても、嫌がられることはないのである。なお、ハンカチ１に包んで持ち運ぶ場合には、角のない円形状のアロマストーン４が好ましい。
【００１７】
また、図３、図４に示した第２実施の形態に係る布製品としては、例えば、手袋５である。この手袋５の少なくとも片方の手袋５の甲側にアロマストーン用ポケット２を形成する。この場合のアロマストーン用ポケット２は矩形状であり、指先側または手首側に開口部３を設ける。図示の実施例では、指先側に開口部３を設けたものであり、該開口部３には、例えば、ホック等の閉合又は係合部材６が設けられる。この係合部材６としては、その他に矩形または円形で小径に形成したベルクロファスナー等も使用できる。
【００１８】
このように少なくとも片方の手袋５の甲側に形成した矩形状のアロマストーン用ポケット２に、例えば、ハート形状に形成したアロマストーン４が収納される。このアロマストーン４にも、前記実施の形態と同様に、適宜のアロマオイルを数滴滴下して染み込ませたものであり、開口部３からアロマストーン４を収納後に係合部材６を閉合することにより、アロマストーン４が脱落することはないのである。
【００１９】
そして、外出する時に、手袋５を洋服又はコートのポケットに入れて気軽に持ち出すことができ、手袋５を手に嵌めているだけでアロマオイルの香料が周囲に飛散するし、胸の前で腕組みをすることにより、アロマオイルの香料が必然的に鼻先近辺に立ち上るようになり、出先でいつでも何処でもアロマオイルの香料を嗅ぐことができるのである。
【００２０】
さらに、図５に示した第３の実施の形態について説明する。この第３の実施の形態においては、布製品としてカイロ用カバー７に矩形状のアロマストーン用ポケット２を設けたものである。この矩形状のアロマストーン用ポケット２の一辺に開口部３が設けられ、該開口部３には、例えば、チャック等の閉合又は係合部材６が設けられている。そして、アロマストーン４としては、矩形状のものであり、前記第１の実施の形態と同様に、適宜のアロマオイルを数滴滴下して染み込ませたものであり、開口部３からアロマストーン４を収納後に係合部材６を閉めるのである。
【００２１】
そして、実際の使用において、カイロの熱により、アロマストーン４に染み込ませたアロマオイルの香料が周囲に飛散して、周囲の雰囲気を心地よく和ませることができるのである。
【００２２】
いずれにしても、身の回りに存在する布製品に、所要大きさのアロマストーン用ポケット２を形成し、該アロマストーン用ポケット２に、好みのアロマオイルを数滴滴下して染み込ませたアロマストーン４を収納することで、アロマオイルの香る時間を長く維持できると共に、外出時にアロマストーン４を単体で持ち歩くよりも安全であり、いつでも何処でもアロマオイルの香料を楽しんだりリラックスのために嗅ぐことができる。
【００２３】
以上説明した実施例は本考案の構成を限定するものではなく、本考案の主旨を逸脱しない範囲で種々の変更が可能である。例えば、アロマオイルとしては、オレンジ・スイート、グレープフルーツ、クラリセージ、ベルガモット、サンダルウッド、フランキンセンス、スイートマージョラム、ゼラニウム、ネロリ、ラベンダー、ティートリー、ユーカリ等であり、身の回り布製品として、前記の他に、ティシュペーパーケース、ブックカバー、手帳カバー、ぬいぐるみ等にも適用できる。また、アロマストーンの形状としては、前記の他に、楕円形、瓢箪形又はデザイン化した動植物形状等である。
【産業上の利用可能性】
【００２４】
本考案に係るアロマストーン用ポケット２を有する布製品は、例えば、身の回り布製品であるハンカチ１を利用して、アロマストーン用ポケット２を形成したものであり、好みのアロマオイルを数滴滴下して染み込ませたアロマストーン４を、アロマストーン用ポケット２に収納して、簡易に持ち運ぶことができるようにしたのであり、その他多くの身の回り布製品に対しても広く適用できるものである。
【符号の説明】
【００２５】
１  ハンカチ
２  アロマストーン用ポケット
３  開口部
４  アロマストーン
５  手袋
６  閉合又は係合部材
７  カイロカバー
【図１】
0003182012.tif 000003
【図２】
0003182012.tif 000004
【図３】
0003182012.tif 000005
【図４】
0003182012.tif 000006
【図５】
0003182012.tif 000007